(57)【要約】    デバイスは、透過部、半透過部及び該半透過部に関連づけられているレンズアレイを含むディスプレイを備える。【選択図】  なし
2010509616.tif 000002
【特許請求の範囲】
【請求項１】
デバイスであって、
ディスプレイを備え、
前記ディスプレイは、
透過部と、
半透過部と、
前記半透過部に関連付けられているレンズアレイと
を備えている
ことを特徴とするデバイス。
【請求項２】
前記ディスプレイは、更に、
前記透過部と前記半透過部に対して光を提供するように構成されている照明デバイスを備えている
ことを特徴とする請求項１に記載のデバイス。
【請求項３】
前記照明デバイスが通電されると、前記透過部と前記半透過部は照明される
ことを特徴とする請求項２に記載のデバイス。
【請求項４】
前記レンズアレイは、前記照明デバイスと前記半透過部との間に設けられている
ことを特徴とする請求項２に記載のデバイス。
【請求項５】
前記照明デバイスの電源が遮断されると、周辺光が前記半透過部を照明する
ことを特徴とする請求項２に記載のデバイス。
【請求項６】
前記半透過部は、前記ディスプレイ上に視覚情報を表示する
ことを特徴とする請求項５に記載のデバイス。
【請求項７】
前記半透過部は、透過セクションと反射セクションを備えている
ことを特徴とする請求項１に記載のデバイス。
【請求項８】
前記レンズアレイは、ガラス、水晶、サファイアまたはポリマ材料のうちの少なくとも１つを備えている
ことを特徴とする請求項１に記載のデバイス。
【請求項９】
前記レンズアレイは、マイクロレンズアレイを備えている
ことを特徴とする請求項１に記載のデバイス。
【請求項１０】
前記ディスプレイは、モノクロまたはカラーのディスプレイのうちの一方を備えている
ことを特徴とする請求項１に記載のデバイス。
【請求項１１】
デバイスディスプレイであって、
透過部と半透過部とを含む画素アレイと、
画素アレイを照明できるようになっている照明デバイスと、
前記画素アレイの前記半透過部に関連づけられているレンズアレイと
を備えることを特徴とするデバイスディスプレイ。
【請求項１２】
前記画素アレイは、液晶ディスプレイ（ＬＣＤ）を備えている
ことを特徴とする請求項１１に記載のデバイスディスプレイ。
【請求項１３】
前記画素アレイは、パッシブ・マトリックス構造またはアクティブ・マトリックス構造の内の１つを備えている
ことを特徴とする請求項１１に記載のデバイスディスプレイ。
【請求項１４】
前記半透過部の画素は、
第１の反射セクションと第１の透過セクションとを含む第１のサブ画素と、
第２の反射セクションと第２の透過セクションとを含む第２のサブ画素と、
第３の反射セクションと第３の透過セクションとを含む第３のサブ画素と
を備えることを特徴とする請求項１１に記載のデバイスディスプレイ。
【請求項１５】
前記半透過部の画素は、更に、
前記第１のサブ画素に関連づけられている第１の薄膜トランジスタ（ＴＦＴ）と、
前記第２のサブ画素に関連づけられている第２の薄膜トランジスタ（ＴＦＴ）と、
前記第３のサブ画素に関連づけられている第３の薄膜トランジスタ（ＴＦＴ）と
を備えることを特徴とする請求項１４に記載のデバイスディスプレイ。
【請求項１６】
前記半透過部の画素は、前記第１の薄膜トランジスタ（ＴＦＴ）、前記第２の薄膜トランジスタ（ＴＦＴ）、前記第３の薄膜トランジスタ（ＴＦＴ）を介して、ロウライン及び少なくとも１つの対応するゲートラインに関連づけられている
ことを特徴とする請求項１５に記載のデバイスディスプレイ。
【請求項１７】
前記レンズアレイは、複数の小型レンズを備え、前記複数の小型レンズのそれぞれは、前記半透過部の画素のサブ画素に関連づけられている
ことを特徴とする請求項１４に記載のデバイスディスプレイ。
【請求項１８】
前記照明デバイスは、
白熱電球、
１つ以上の発光ダイオード（ＬＥＤ）、
エレクトロルミネセントパネル（ＥＬＰ）、
１つ以上の冷陰極蛍光灯（ＣＣＦＬ）、または
１つ以上の熱陰極蛍光灯（ＨＣＦＬ）のうちの１つを備えている
ことを特徴とする請求項１１に記載のデバイスディスプレイ。
【請求項１９】
前記照明デバイスが、通電されて、かつ前記画素アレイを照明すると、前記画素アレイの前記透過部と前記半透過部とは、実質的に同一の照明、コントラスト及び色を提供する
ことを特徴とする請求項１１に記載のデバイスディスプレイ。
【請求項２０】
前記照明デバイスの電源が遮断されると、周辺光が、前記半透過部によって反射される
ことを特徴とする請求項１１に記載のデバイスディスプレイ。
【請求項２１】
デバイスディスプレイ用の透過部を提供し、
デバイスディスプレイ用の半透過部を提供し、
レンズアレイを前記デバイスディスプレイの半透過部と関連づける
ことを特徴とする方法。
【請求項２２】
前記デバイスディスプレイの前記透過部及び前記半透過部を照明できるようになっている照明デバイスを提供する
ことを特徴とする請求項２１に記載の方法。
【請求項２３】
システムであって、
透過部と半透過部を含む情報を表示するための表示手段と、
前記表示手段を照明するためのように構成されている表示手段と、
前記照明手段からの光を集束して、前記表示手段の半透過部の透過セクションへ導く手段と
を備えることを特徴とするシステム。
【発明の詳細な説明】
【技術分野】
【０００１】
本明細書に記載される実装構成は、一般的には、デバイスに関するものであり、より詳細には、デバイス用の透過型（transmissive）及び半透過型（transflective）ディスプレイに関するものである。
【背景技術】
【０００２】
デバイス装（例えば、移動通信デバイス）用のメインディスプレイはますます、透過型ディスプレイとなっている。その理由として、このようなディスプレイが、半透過型ディスプレイまたは純粋に反射型のディスプレイと比べ、多くの分野において改善されたパフォーマンスを与えるからである。透過型ディスプレイは、照明デバイス／光源（例えば、バックライト）によって後方から照明され、また、反対側（すなわち、前面）から見られるものである。このタイプのディスプレイは、（コンピュータディスプレイ、テレビ、パーソナル・デジタル・アシスタント（ＰＤＡ）、移動電話機等）高い輝度レベルを必要とする用途において使用することができる。残念なことに、透過型ディスプレイを照明するために使用される照明デバイスは、ディスプレイに比べて通常より多くの電力を消費する。
【発明の概要】
【発明が解決しようとする課題】
【０００３】
この問題に対する１つの解決策は、ディスプレイを反射型または半透過型にすることである。（例えば、デジタル時計または計算機においてしばしば見られるような）反射型ディスプレイは、ディスプレイの背後に配置されている拡散反射板によって反射される外部光によって照明される。照明デバイスが存在しないことによって、反射型ディスプレイにおける消費電力は低減されるものの、このようなディスプレイ上でのコントラストは、典型的には、透過型ディスプレイ上でのコントラストに比べると劣悪なものとなる。半透過型ディスプレイは、周辺光に応じて透過型ディスプレイまたは反射型ディスプレイかのいずれかとして動作する。例えば、外部の光レベルが高く、かつ、この光レベルがバックライトを介してさらに暗い環境において透過モードになる場合、半透過型ディスプレイは反射モードで動作することになる。ただ残念なことに、画素領域（pixel area）が利用されるようになっている場合、純粋な透過型ディスプレイ及び純粋な反射型ディスプレイと比較して、半透過型ディスプレイは良好な透過モードまたは良好な反射モードを提供するものではない。
【課題を解決するための手段】
【０００４】
１つの側面に従えば、デバイスは、透過部と、半透過部と、及び該半透過部に関連づけられているレンズアレイを含んでもよいディスプレイを含むことができる。
【０００５】
加えて、ディスプレイは、透過部と半透過部に対して光を提供するように構成されている照明デバイスをさらに含むものであってもよい。
【０００６】
加えて、透過部と半透過部は、照明デバイスが通電されると、照明されてもよい。
【０００７】
加えて、レンズアレイは、照明デバイスと半透過部との間に設けられてもよい。
【０００８】
加えて、照明デバイスの電源が遮断されると、周辺光が半透過部を照明する。
【０００９】
加えて、半透過部は、ディスプレイ上に視覚情報を表示してもよい。
【００１０】
加えて、半透過部は、透過セクションと反射セクションを含んでもよい。
【００１１】
加えて、レンズアレイは、ガラス、水晶、サファイアまたはポリマ材料のうちの少なくとも１つを含んでもよい。
【００１２】
加えて、レンズアレイは、マイクロレンズアレイを含んでもよい。
【００１３】
加えて、ディスプレイは、単色またはカラーのディスプレイのうちの一方のディスプレイを含んでもよい。
【００１４】
別の側面に従えば、デバイスディスプレイは、透過部と半透過部とを含んでもよい画素アレイと、画素アレイを照明できるようになっている照明デバイスと、画素アレイの半透過部に関連づけられているレンズアレイとを含んでもよい。
【００１５】
加えて、画素アレイは、液晶ディスプレイ（ＬＣＤ）を含んでもよい。
【００１６】
加えて、画素アレイは、パッシブ・マトリックス構造またはアクティブ・マトリックス構造を含んでもよい。
【００１７】
加えて、半透過部の画素が、第１の反射セクションと第１の透過セクションとを含んでもよい第１のサブ画素と、第２の反射セクションと第２の透過セクションとを含んでもよい第２のサブ画素と、第３の反射セクションと第３の透過セクションとを含んでもよい第３のサブ画素とを含んでもよい。
【００１８】
加えて、半透過部の画素は、第１のサブ画素に関連づけられている第１の薄膜トランジスタ（ＴＦＴ）と、第２のサブ画素に関連づけられている第２のＴＦＴと、第３のサブ画素に関連づけられている第３のＴＦＴとをさらに含んでもよい。
【００１９】
加えて、半透過部の画素は、第１、第２、第３のＴＦＴを介して、ロウライン及び１つ以上のゲートラインに関連づけられていてもよい。
【００２０】
加えて、レンズアレイは、複数の小型レンズを含んでもよく、この個々の小型レンズは、半透過部の画素のサブ画素に関連づけられている。
【００２１】
加えて、照明デバイスは、白熱電球、１つ以上の発光ダイオード（ＬＥＤ）、エレクトロルミネセントパネル（ＥＬＰ）、１つ以上の冷陰極蛍光灯（ＣＣＦＬ）または１つ以上の熱陰極蛍光灯（ＨＣＦＬ）のうちの１つを含んでもよい。
【００２２】
加えて、照明デバイスが通電されて、画素アレイを照明すると、画素アレイの透過部と半透過部とは実質的に同一の照明、コントラスト及び色を提供してもよい。
【００２３】
加えて、照明デバイスの電源が遮断されると、周辺光は、半透過部によって反射されてもよい。
【００２４】
加えて、別の側面に従えば、方法は、デバイスディスプレイ用の透過部を提供するステップと、デバイスディスプレイ用の半透過部を提供するステップと、レンズアレイをデバイスディスプレイの半透過部と関連づけるステップとを含んでもよい。
【００２５】
加えて、方法は、デバイスディスプレイの透過部及び半透過部を照明できるようになっている照明デバイスを提供するステップをさらに含んでもよい。
【００２６】
加えて、別の側面に従えば、システムは、透過部と半透過部を含んでもよい情報を表示するための表示手段と、この表示手段を照明するように構成されている照明手段と、光を集束して、照明手段から表示手段の半透過部の透過セクションへ光を導く手段とを含んでもよい。
【００２７】
本明細書の一部に組み込まれ、かつ、本明細書の一部を構成する図面は、例示の実施形態を示し、例示の実施形態を記述によって説明するものである。
【図面の簡単な説明】
【００２８】
【図１】本明細書で記載されるシステム及び方法を実現することが可能な例示のデバイスを示す図である。
【図２Ａ】図１に示される例示のデバイスのディスプレイの、部分横断面図で示す部分側面図である。
【図２Ｂ】図１及び図２Ａに示されるディスプレイの画素アレイの正面図を示すと共に、さらに画素アレイの実装構成を示す図である。
【図３Ａ】図１、図２Ａ及び図２Ｂに示される画素アレイの別の実装構成を示す正面図である。
【図３Ｂ】図３Ａに示される画素アレイの側面図である。
【図４Ａ】図１〜図３Ｂに示される画素アレイの半透過部の例示の画素の部分側面図である。
【図４Ｂ】図４Ａに示される画素の部分側面図を示すと共に、図２Ａ及び図３Ｂに示されるディスプレイのレンズアレイと、図２Ａに示されるディスプレイの照明デバイスを更に示す図である。
【図５Ａ】実装例に従う、ディスプレイが図５Ａでは透過モードの状態にあり、かつ、図５Ｂでは反射モードの状態にある、図１、図２Ａ及び図２Ｂに示されるディスプレイの正面図である。
【図５Ｂ】実装例に従う、ディスプレイが図５Ａでは透過モードの状態にあり、かつ、図５Ｂでは反射モードの状態にある、図１、図２Ａ及び図２Ｂに示されるディスプレイの正面図である。
【図６Ａ】実装例に従う、ディスプレイが図６Ａでは透過モードの状態にあり、かつ、図６Ｂでは反射モードの状態にある図１、図３Ａ及び３Ｂに示されるディスプレイの正面図である。
【図６Ｂ】実装例に従う、ディスプレイが図６Ａでは透過モードの状態にあり、かつ、図６Ｂでは反射モードの状態にある図１、図３Ａ及び３Ｂに示されるディスプレイの正面図である。
【図７】実装例に係る例示のプロセスを示すフローチャートである。
【発明を実施するための形態】
【００２９】
以下の詳細な説明は、添付図面を参照するものである。異なる図面内の同一の参照番号は、同一の要素または類似の要素を特定するものとする。また、以下の詳細な説明は、本発明を限定するものではない。
【００３０】
本明細書に記載される実装構成は、デバイスと共に用いる透過型ディスプレイ及び半透過型ディスプレイに関するものであってもよい。透過型／半透過型ディスプレイ、及び半透過部に関連づけられているレンズアレイ（例えば、マイクロレンズアレイ）を使用することによって、照明デバイスの電源がオフもされる場合に利用できる反射部分（すなわち、半透過部の反射セクション）をそのまま提供しながら、照明デバイス（例えば、バックライト）の電源がオンにされる場合、ディスプレイのパフォーマンスは、純粋な透過型ディスプレイのパフォーマンスに実質的に匹敵させることが可能となる。照明デバイスが通電される（energized）と、レンズアレイは、光を集束し、照明デバイスから半透過部の透過セクションへ光を導くことができる。照明デバイスの電源が遮断される（de-energized）あるいは電源がオフにされると、周辺光は、半透過部の反射セクションから反射することができる。これによって、ディスプレイの半透過部は、デバイスがスタンバイモードになると（すなわち、照明デバイスの電源がオフにされると）情報を表示することが可能になる。例えば、１つの実装例では、ディスプレイは、デバイスがスタンバイモードになっている間、例えば、時計（クロック）を表示する半透過部を含んでいてもよい。このような構成によって、デバイスは、（例えば、照明デバイスによって）バッテリ電力を消費することなく時計の表示が可能になる。別の実装構成では、ディスプレイは、照明デバイスによってバッテリ電力を消費することなく、（例えば、時計、バッテリ寿命、ネットワークとの接続等の）種々のスタンバイ情報を表示することができるいくつかの半透過部（形状、サイズ、位置等の変更）を含むことが可能となる。
【００３１】
以下の説明は、デバイスについての記述となる。本明細で使用されるように、「デバイス（device）」という用語は、データ処理、ファクシミリ、及びデータ通信機能とセルラ無線電話機を組み合わせることができるパーソナル通信システム（ＰＣＳ）端末と、無線電話機、ページャ、インターネット／イントラネットアクセス、ウェブブラウザ、オーガナイザ、カレンダ、ドップラー受信機、及び全地球測位システム（ＧＰＳ）受信機のうち少なくともいずれかを含むパーソナル・デジタル・アシスタント（ＰＤＡ）と、ドップラー受信機と全地球測位システム（ＧＰＳ）受信機の少なくともいずれかの受信機、ラップトップ、ＧＰＳデバイス、パーソナルコンピュータ、ＭＰ３プレーヤ、プリンタ、ファクシミリ装置、ページャ、計算機、（例えば、デジタルまたはビデオ）カメラ、ディスプレイを利用できるようになっている他の任意のデバイスのうちの少なくともいずれかを含む用語である。
【００３２】
デバイスディスプレイの例
図１は、本明細書に記載される実装構成に従う例示のデバイス１００の図である。図１に示されるように、デバイス１００は、ハウジング１１０、スピーカ１２０、ディスプレイ１３０、制御ボタン１４０、キーパッド１５０、マイク１６０、及びカメラ１７０のうちの少なくともいずれかを含んでもよい。ハウジング１１０は、外側の要素からデバイス１００の構成要素を保護することができる。スピーカ１２０は、デバイス１００のユーザへ可聴情報を提供することができる。ディスプレイ１３０は、ユーザへ可視情報を提供することができる。例えば、ディスプレイ１３０は、着呼または発呼、ゲーム、電話帳、現在の時刻、電子メール等に関する情報を提供することができる。制御ボタン１４０は、ユーザがデバイス１００と対話することを許可して、デバイス１００に、１以上の動作を実行させることができる。キーパッド１５０は、情報をタイプして、デバイス１００に入力できるようにする標準的な電話用キーパッドと追加のキーの少なくともいずれかを含んでもよい。マイク１６０は、可聴情報をユーザから受信することができる。カメラ１７０は、ユーザがビデオと（写真等の）画像の少なくともいずれかをキャプチャすること、記憶することの少なくともいずれかを行うことができるようにする。
【００３３】
第１のデバイスディスプレイの例
図２Ａは部分横断面におけるディスプレイ１３０の部分側面図である。図２Ａに示されるように、ディスプレイ１３０は、照明デバイス２００、半透過部２３０と透過部２４０とを含む画素アレイ２１０、及びレンズアレイ２２０を含んでもよい。ディスプレイ１３０は、図２Ａに示されていない（電気部品、光学部品などの）他の構成要素を含むことができる。
【００３４】
照明デバイス２００は、画素アレイ２１０に対して照明またはライティングを提供する機能を備える任意のデバイスを含むものであってもよい。例えば、照明デバイス２００は、白熱電球、１つ以上の発光ダイオード（ＬＥＤ）、エレクトロルミネセントパネル（ＥＬＰ）、１つ以上の冷陰極蛍光灯（ＣＣＦＬ）または１つ以上の熱陰極蛍光灯（ＨＣＦＬ）等を含んでもよい。非常に高い輝度が必要とされる場合、白熱電球を使用することができる。小型の安価なディスプレイではＬＥＤを使用することができ、また、ＬＥＤは、着色光または白色光を含んでもよい。ＥＬＰは、さらに大型のディスプレイ用として章することができる、あるいは、均等なライティングが必要とされる場合と、ライティングが着色光か白色光のいずれかであってもよい場合とに使用することができる。ＣＣＦＬは、大型のディスプレイ（例えば、コンピュータモニタ）において使用することができ、また、色は白色であってもよい。別の例では、照明デバイス２００は、散光器または光ガイドを用いて、不均等な光源から均等なライティングを提供することができるようになっている。さらに別の例では、照明デバイス２００は、任意のカラー光源（例えば、黄色、緑色、青色、白色等）または着色／非着色光源の組み合わせを含み得る。
【００３５】
画素アレイ２１０は、可視情報（例えば、テキスト、画像、ビデオ、着呼または発呼、ゲーム、電話帳、現在の時刻、電子メール等）をユーザに提供する機能を備える任意のデバイスを含んでもよい。例えば、画素アレイ２１０は、薄膜トランジスタ（ＴＦＴ）ＬＣＤディスプレイまたは高性能アドレシング（ＨＰＡ）ＬＣＤディスプレイのような液晶ディスプレイ（ＬＣＤ）を含んでもよい。
【００３６】
１つの実装例では、画素アレイ２１０は、光源（例えば、照明デバイス２００）の前面に配列された任意数のカラー画素及びモノクロ画素の少なくとも一方を含んでもよい。別の実装構成では、画素アレイ２１０は、グループ化されて、かつゲートラインまたはカラム（column：列）ラインと共に配線されることが可能な画素アレイ２１０の一方の側に電極を設けることが可能であり、さらに、個々のグループは、自身の電圧源を収容することが可能である。画素アレイ２１０は、更に、グループ化されて、ロウ（row：行）ラインと共に配線されることが可能な画素アレイ２１０のもう一方の側に電極をさらに設けることが可能であり、さらに、個々のグループは、自身の電圧シンク（voltage sink）を収容することが可能である。これらのグループを指定することで、画素アレイ２１０の個々の画素がソースとシンクの固有の組み合わせを有することができるようにすることができる。
【００３７】
さらに別の実装構成では、画素アレイ２１０は、パッシブ・マトリックス構造またはアクティブ・マトリックス構造を含んでもよい。パッシブ・マトリックス構造において、画素アレイ２１０の個々のロウ（行）またはカラム（列）は、単一の電気回路を含むことができ、さらに、画素群は、ロウアドレスとカラムアドレスとによって一度に１つずつアドレス指定を行うことができる。画素群は、電力供給を受けることなく、リフレッシュの間、自身の状態を保持することができる。アクティブ・マトリックス構造において、ＴＦＴマトリックスには、偏光フィルタとカラーフィルタとに追加することが可能であり、そして、個々の画素は、自身の専用ＴＦＴを含むことができる。この専用ＴＦＴは、個々のゲートラインまたはカラムラインで、１つの画素へのアクセスを可能にする。ロウラインがアクティブになる場合、ゲートラインは、画素の行に接続することが可能となり、次いで、正規の電圧を、すべてのゲートライン上で駆動することが可能となる。ロウラインは、非アクティブにすることができ、そして、次のロウラインをアクティブにすることができる。すべてのロウラインは、リフレッシュ動作中に順にアクティブにすることができる。
【００３８】
別の実装構成では、画素アレイ２１０がカラーアレイである場合、個々の画素は３個のセルまたはサブ画素（sub-pixels）に分割することができる。これらのサブ画素は、追加フィルタ（例えば、顔料フィルタ、染料フィルタ、金属酸化膜フィルタ等）によって、赤、緑、青に着色することができる。個々のサブ画素を個別に制御することで、個々の画素に対して数千色または数百万色の色を生み出すことが可能となる。別の実装構成では、画素アレイ２１０の個々の画素は、多かれ少ないかれ、赤、緑、青以外の種々の色の３つのサブ画素を含むことができる。
【００３９】
図２Ａ及び２Ｂに示されるように、画素アレイ２１０は、半透過部２３０と透過部２４０とを含んでもよい。半透過部２３０の個々の画素またはサブ画素は、半透過部２３０が透過型ディスプレイ、または反射型ディスプレイかのいずれかとしてそれぞれ機能することを可能にする透過セクションと反射セクションとを含んでもよい。例えば、半透過部２３０は、照明デバイス２００の電源が遮断されるあるいは電源がオフにされると、反射的に動作することができ、照明デバイス２００が通電されるあるいは電源がオンにされると、透過的に動作することが可能となる。透過部２４０は、照明デバイス（例えば、照明デバイス２００）によって後部から照明することができ、また、反対側（すなわち、前面）から眺められる任意の材料を含んでもよい。
【００４０】
半透過部２３０と透過部２４０とは、デバイス１００とディスプレイ１３０の少なくともいずれかの形状とサイズの少なくともいずれかに依存する種々の形状とサイズの少なくともいずれかを有することも可能である。例えば、図２Ａ及び２Ｂに示される実装構成では、透過部２４０は、半透過部２３０によって包含される（例えば、画素アレイ２１０の面積の２５％）面積よりも（例えば、画素アレイ２１０の面積の７５％）さらに広い画素アレイ２１０の面積を包含することができる。このような構成によって、照明デバイス２００の電源が遮断される（例えば、スタンバイモードにする）ことによって、デバイス１００の電源（不図示）に対する電力の節減が可能となり、さらに、スタンバイモード中に半透過部２３０によって情報を表示することが可能となる。（例えば、図３Ａ及び３Ｂに関連して以下に説明するような）別の実装構成では、形状とサイズの少なくともいずれかが変化する、２以上の半透過部２３０が、画素アレイ２１０用として設けられてもよく、さらに、所望の情報量と情報の位置（群）との少なくともいずれかに依存して、この半透過部を画素アレイ２１０の様々な位置に配置して、スタンバイモード中に表示できるようにすることが可能となる。
【００４１】
図２Ａにさらに示されるように、レンズアレイ２２０を、画素アレイ２１０の半透過部２３０に関連づけることができる。レンズアレイ２２０は、様々な材料から作成することができる。例えば、レンズアレイ２００は、ガラス、水晶、サファイア、プラスチックを含むポリマ材料等の任意の透明な材料から製造することができる。ポリマ材料の例としては、ポリメタクリル酸メチル、ポリビニルカルバゾール（polyvinylcarbazole）、ポリブタジエン、ポリエチレン（ポリエチレンテレフタル酸エステル等）、ポリエステル等を含めることができる。
【００４２】
レンズアレイ２２０は、様々な形状とサイズの少なくともいずれかのレンズアレイであってもよい。例えば、１つの実装例では、レンズアレイ２２０は、上述の材料のうちの任意の材料から形成されているマイクロレンズアレイであってもよい。別の実装構成では、レンズアレイ２２０は、上述のポリマ材料から製造されているポリマーラミネートから形成することができる。さらに別の実装構成では、レンズアレイ２２０は、半透過部２３０と実質的に同一のサイズ及び形状に合わせたサイズと形状のものであってもよい。
【００４３】
照明デバイス２００が通電される場合、レンズアレイ２２０は、照明デバイス２００から光を集束し、次いで、この光を半透過部２３０の透過セクションへ導くことができる。照明デバイス２００の電源が遮断される、あるいは電源がオフにされる場合、周辺光が半透過部２３０の反射セクションから反射することが可能となり、また、スタンバイ中には、反射セクションは情報を表示することが可能となる。これによって、（電源がオフにされる）照明デバイス２００によって電力を消費することなく、デバイス１３０に、半透過部２３０に関する情報を表示することが可能になる。例えば、周辺光は、半透過部の反射セクション２３０に、照明デバイス２００を使用することなく、スタンバイ時計（例えば、ディスプレイ１３０の下部）を表示することが可能となる。レンズアレイ２２０と、及び反射セクション２３０の透過部と半透過部との間の関係を設計することで、半透過部２３０は、（例えば、照明デバイス２００が通電される場合）透過部２４０の輝度、カラー、コントラストのうちの少なくともいずれかに実質的にマッチできるようにすることが可能となる。
【００４４】
第２のデバイスディスプレイの例
図３Ａ及び３Ｂは、それぞれ、画素アレイ２１０の別の実装構成の正面図と側面図である。図３Ａに示されるように、画素アレイ２１０は、種々の形状（例えば、正方形、長方形、円形、三角形等）、サイズ、位置のうちの少なくともいずれかを有する、透過部２４０及び１つ以上の半透過部３１０と３２０を含んでもよい。半透過部３１０と３２０は、半透過部２３０に関連して上述したものと同一の特徴を含むことができる。照明デバイス２００の電源が遮断されると、画素アレイ２１０によって表示すべき所望の情報に依存して、画素アレイ２１０に対して任意の数の半透過部を設けることができる。図３Ｂに示されるように、半透過部３１０は、この半透過部に関連づけられているレンズアレイ３３０を備えてもよく、さらに、半透過部３２０は、この半透過部に関連づけられているレンズアレイ３４０を備えてもよい。レンズアレイ３３０と３４０は、レンズアレイ２２０に関連して上述される特徴と同一の特徴を含むことができる。レンズアレイ３３０と３４０は、半透過部３１０と３２０の透過セクションが透過部２４０と同一輝度、色、コントラストのうちの少なくともいずれかに関する情報を表示できるように、光（例えば、照明デバイス２００から）を集束し、対応する半透過部３１０と３２０の透過セクションへ光を導くことができる。半透過部３１０と３２０は、また、半透過部３１０と３２０の反射セクションからの周辺光の反射に起因して、スタンバイモード中に（すなわち、照明デバイス２００の電源がオフにされている場合）情報を表示することができる。
【００４５】
第１及び第２のデバイスディスプレイの例の画素の例
図４Ａは、半透過部２３０、３１０または３２０の画素４００の例を示す部分側面図である。図４Ａはカラー画素４００を示すものではあるが、別の実装構成では、半透過部２３０、３１０または３２０は単色画素を含むものであってもよい。図示されるように、画素４００は、赤色サブ画素４１５、緑色サブ画素４３５及び青色サブ画素４５５を含むものであってもよい。これらのサブ画素は、ロウライン４０５とゲートライン４１０に関連づけることができる。
【００４６】
図４Ａにさらに示されるように、赤色サブ画素４１５は、反射セクション４２０、透過セクション４２５及びＴＦＴ４３０に関連づけることができる。周辺光は、スタンバイモード時に反射セクション４２０によって反射されることができる。反射セクション４２０は、カラーフィルタ（例えば、赤色）を使用して色を生成することができる。周辺光は、反射セクション４２０を通過して、次いで、カラーフィルタを通過することが可能であり、反射セクション４２０によって反射される（また、再度、カラーフィルタを通過する）ことができ、そして、赤色サブ画素４１５として表示されることができる。透過セクション４２５は、（例えば、照明デバイス２００を用いて）後部から照明されることができ、また、反対側（すなわち、前面）から見られる任意の材料を含んでもよい。透過セクション４２５は、また、カラーフィルタ（例えば、赤色）を使用して色を生成することもできる。照明デバイス２００からの光は、透過セクション４２５とカラーフィルタとを透過することができ、次いで、赤色サブ画素４１５として表示することができる。ＴＦＴ４３０は、ロウライン４０５と、並びに、対応するゲートライン４１０のうちの１つのゲートラインと電気的に接続されることができる。ＴＦＴ４３０は、ロウライン４０５と、対応するゲートライン４１０とのうちの１つのゲートラインとのうちの少なくともいずれかのラインで、赤色サブ画素４１５へアクセスすることを可能にすることができる。
【００４７】
緑色サブ画素４３５は、反射セクション４４０、透過セクション４４５及びＴＦＴ４５０に関連づけることができる。周辺光は、スタンバイモード時に、反射セクション４４０により反射されることができる。反射セクション４４０は、カラーフィルタ（例えば、緑色）を使用して色を生成することができる。周辺光は、反射セクション４４０を通過して、次いで、カラーフィルタを通過することが可能であり、反射セクション４４０によって反射される（また、再度、カラーフィルタを通過する）ことができ、そして、緑色サブ画素４３５として表示されることができる。透過セクション４４５は、（例えば、照明デバイス２００を用いて）後部から照明されることができ、反対側（すなわち、前面）から見られる任意の材料を含んでもよい。透過セクション４２５は、また、カラーフィルタ（例えば、緑色）を使用して色を生成することもできる。照明デバイス２００からの光は、透過セクション４４５とカラーフィルタとを透過することができ、次いで、緑色サブ画素４３５として表示することができる。ＴＦＴ４５０は、ロウライン４０５と、並びに、対応するゲートライン４１０のうちの１つのゲートラインと電気的に接続されることができる。ＴＦＴ４５０は、ロウライン４０５と、対応するゲートライン４１０とのうちの１つのゲートラインとのうちの少なくともいずれかのラインで、緑色サブ画素４３５へアクセスすることを可能にすることができる。
【００４８】
図４Ａにさらに示されるように、青色サブ画素４５５は、反射セクション４６０、透過セクション４６５及びＴＦＴ４７０に関連づけることができる。周辺光は、スタンバイモード時に、反射セクション４６０により反射されることができる。反射セクション４６０は、カラーフィルタ（例えば、青色）を使用して色を生成することができる。周辺光は、反射セクション４６０を塚して、次いで、カラーフィルタを通過することが可能であり、反射セクション４６０によって反射される（また、再度、カラーフィルタを通過する）ことができ、そして、青色サブ画素４５５として表示されることができる。透過セクション４６５は、（例えば、照明デバイス２００を用いて）後部から照明されることができ、反対側（すなわち、前面）から見られる任意の材料を含んでもよい。透過セクション４６５は、また、カラーフィルタ（例えば、青色）を使用して色を生成することもできる。照明デバイス２００からの光は、透過セクション４６５とカラーフィルタとを透過することができ、次いで、青色サブ画素４５５として表示することができる。ＴＦＴ４７０は、ロウライン４０５と、並びに、対応するゲートライン４１０のうちの１つと電気的に接続されることができる。ＴＦＴ４７０は、ロウライン４０５と、対応するゲートライン４１０のうちの１つのゲートラインとのうちの少なくともいずれかのラインで、青色サブ画素４１５へアクセスすることを可能にすることができる。
【００４９】
図４Ｂは、画素４００の部分側面図を示し、さらに、レンズアレイ（例えば、レンズアレイ２２０、３３０または３４０）及び照明デバイス（例えば、照明デバイス２００）を示す図である。図示されるように、レンズアレイ２２０、３３０または３４０の小型レンズは、光４７５を集束し、照明デバイス２００から光４７５を導くことができる。光４７５は、赤色サブ画素４１５の透過セクション４２５へ提供されることができ、透過セクション４２５は、光４７５を使用して、ノーマルモードの間（すなわち、照明デバイス２００が通電されると）情報を表示することができる。別のレンズアレイ２２０、３３０または３４０の小型レンズは、光４８０を集束し、照明デバイス２００から光４８０を導くことができる。光４８０は、緑色サブ画素４３５の透過セクション４４５へ提供されることができ、透過セクション４４５は、光４８０を使用して、ノーマルモードの間、情報を表示することができる。さらに別のレンズアレイ２２０、３３０または３４０の小型レンズは、光４８５を集束し、照明デバイス２００から光４８５を導くことができる。光４８５は、青色サブ画素４５５の透過セクション４６５へ提供されることができ、透過セクション４６５は、光４８５を使用して、ノーマルモードの間、情報を表示することができる。１つの実装例では、ノーマルモードの間、カラー情報を表示するために、光４７５、４８０及び４８５の組み合わせを使用することができる。
【００５０】
第１及び第２の例示のディスプレイの動作例
図５Ａと５Ｂは、実装例に従う、図１、図２Ａ及び２Ｂに示されるディスプレイ１３０の正面図である。ディスプレイ１３０は、画像の一部分５００を表示する半透過部２３０と、画像の残り部分５１０を表示する透過部２４０とを含んでもよい。ディスプレイ１３０は、図５Ａでは透過モードまたはノーマルモードであってもよく（すなわち、照明デバイス２００は、通電されることができる）、また、半透過部２３０に対してレンズアレイ２２０によって提供される照明ブーストに起因して、半透過部２３０と透過部２４０の双方の部分に関して実質的に同一の照明、コントラスト、色のうちの少なくともいずれかを用いて、連続的に画像部分５００と５１０を表示することができる。ディスプレイ１３０は、図５Ｂでは、反射モードまたはスタンバイモード（すなわち、照明デバイス２００は、電源が遮断される、または電源がオフにされていてもよい）であってもよく、（参照番号５３０によって示されているように）透過部２４０に関する情報を表示せずに、半透過部２３０に関する（例えば、クロック）情報５２０を表示することができる。例えば、半透過部２３０の反射セクションは、周辺光を反射し、それによって現在の時刻のような情報５２０を表示することが可能となる。
【００５１】
図６Ａと６Ｂは、実装例に従う、図１、図３Ａ及び３Ｂに示されるディスプレイ１３０の正面図である。ディスプレイ１３０は、画像部分６００と６１０を表示する半透過部３１０と３２０と、画像の残り部分６２０（すなわち、画像部分６００と６１０の外側の部分）を表示する透過部２４０とを含んでもよい。ディスプレイ１３０は、図６Ａでは、透過モードまたはノーマルモードであってもよい（すなわち、照明デバイス２００は、通電されることができる）、そして、半透過部３１０と３２０へレンズアレイ３３０と３４０によって提供される照明に起因して、半透過部３１０と３２０及び透過部２４０の双方の部分に関して、実質的に同一の照明、コントラスト、色のうちの少なくともいずれかを用いて、連続的に画像部分６００〜６２０を表示することができる。ディスプレイ１３０は、図６Ｂでは、反射モードまたはスタンバイモードであってもよく（すなわち、照明デバイス２００は、電源が遮断される、または電源がオフにされていてもよく）、（参照番号６４０によって示されているように）透過部２４０に関する情報を表示せずに、半透過部３１０と３２０に関する情報６５０（例えば、電力インジケータ）及び情報６６０（例えば、時刻）を表示することが可能となる。例えば、半透過部３１０と３２０の反射セクションは、周辺光を反射し、それによって、情報６５０と６６０を表示することが可能となる。
【００５２】
例示プロセス
図７は、実装例に従う例示プロセス７００のフローチャートである。図示されるように、プロセス７００は、デバイスディスプレイ用の透過部を提供することができる（ブロック７１０）。例えば、図２Ａ、２Ｂ、図３Ａ及び３Ｂに関連して上述した実装例の１つでは、ディスプレイ１３０の画素アレイ２１０は、透過部２４０を含んでもよい。透過部２４０は、照明デバイス（例えば、照明デバイス２００）によって、後部から照明することができ、かつ反対側（すなわち、前面）から見られる任意の材料を含んでもよい。
【００５３】
プロセス７００は、デバイスディスプレイ用の半透過部を提供することができる（ブロック７２０）。例えば、図２Ａ及び２Ｂに関連して上述した実装例の１つでは、ディスプレイ１３０の画素アレイ２１０は、半透過部２３０を含んでもよい。半透過部２３０の個々の画素またはサブ画素は、半透過部２３０が透過型ディスプレイまたは反射型ディスプレイのいずれかとしてそれぞれ機能することを許容する透過セクションと反射セクションとを含んでもよい。例えば、半透過部２３０は、照明デバイス２００の電源が遮断される、または電源がオフにされる場合に反射的に動作することができ、照明デバイス２００の電源が遮断されるまたは電源がオンにされる場合に透過的に動作することができる。図３Ａ及び３Ｂに関連して上述した別の実装構成では、ディスプレイ１３０の画素アレイ２１０は、種々の形状（例えば、正方形、長方形、円形、三角形等）、サイズ、位置のうちの少なくともいずれかを有する、透過部２４０及び１つ以上の半透過部３１０と３２０を含んでもよい。照明デバイス２００の電源が遮断される、または電源がオフにされると、画素アレイ２１０によって表示すべき所望の情報に依存して、画素アレイ２１０に対して任意の数の半透過部を設けることができる。
【００５４】
図７にさらに示されるように、プロセス７００は、レンズアレイをデバイスディスプレイの半透過部と関連づけることができる（ブロック７３０）。例えば、図２Ａに関連して上述した実装例の１つでは、レンズアレイ２２０は、半透過部２３０に関連づけることができる。レンズアレイ２２０は、種々の材料（ガラス、水晶、サファイア、プラスチックを含むポリマ材料等）から作成することができる。レンズアレイ２２０は、種々の形状とサイズの少なくともいずれかからなるものであってもよい（例えば、上述の材料のうちのいずれかから形成されるようなマイクロレンズアレイ）。照明デバイス２００が通電されると、レンズアレイ２２０は、照明デバイス２００からの光を集束し、次いで、この光を半透過部２３０の透過セクションへ導くことができる。照明デバイス２００の電源が遮断されると、半透過部２３０の反射セクションが周辺光を反射して、スタンバイモード中に情報を表示することができる。図３Ｂに関連して上述した別の実装構成では、半透過部３１０は、この半透過部に関連づけられているレンズアレイ３３０を備えてもよく、さらに、半透過部３２０は、この半透過部に関連づけられているレンズアレイ３４０を備えてもよい。照明デバイス２００が通電されると、レンズアレイ３３０と３４０は、照明デバイス２００から光を集束し、次いで、この光を半透過部３１０と３２０の透過セクションへ導くことができる。照明デバイス２００の電源が遮断されると、半透過部３１０と３２０の反射セクションが、周辺光を反射して、スタンバイモード中に情報を表示することができる。
【００５５】
結論
本明細書に記載される実施構成は、デバイスと共に使用するための透過型及び半透過型ディスプレイに関することができる。透過型／半透過型ディスプレイ、及び半透過部に関連づけられているレンズアレイを使用することによって、反射部をそのまま提供しながら、ディスプレイのパフォーマンスは、純粋な透過型ディスプレイのパフォーマンスに実質的に匹敵させることが可能となる。レンズアレイは、照明デバイスが通電されると、照明デバイスからの光を集束し、半透過部の透過セクションへ光を導くことができる。周辺光は、照明デバイスの電源が遮断される、または電源がオフにされると、半透過部の反射セクションから反射することができる。これによって、ディスプレイの半透過部は、デバイスがスタンバイモードになると（すなわち、照明デバイスの電源がオフにされると）、情報を表示することが可能になる。別の実装構成では、ディスプレイは、照明デバイスによってバッテリ電力を消費することなく、種々のスタンバイ情報（例えば、クロック、バッテリ寿命、ネットワークとの接続等）を表示することができる（形状、サイズ、位置等が変動する）いくつかの半透過部を含んでもよい。
【００５６】
好適な実施形態についての上述の記載は、例示と説明とを行うものではあるが、本発明を網羅したり、この開示された正確な形態に本発明を限定することが意図されるものではない。上記の教示を考慮して、変形及び変更を行うことが可能であり、あるいは本発明を実施することによって変形及び変更を行うことが可能である。
【００５７】
例として、図７を参照しながら一連の動作について説明しているが、別の実施構成において、本発明の原理に従ってこれらの動作の順序を変更することも可能である。さらに、非依存的動作を並行して実行することも可能である。
【００５８】
本明細書において使用される場合、「備える／備えている（comprises／comprising）」という用語は、言及された特徴、整数、ステップまたは構成の存在を特定するために用いられるが、これら以外の特徴、整数、ステップ、構成またはこれらのグループの存在または追加を排除するものではないということが強調されるべきである。
【００５９】
実施形態は、上述したように、多くの異なる形のソフトウェア、ファームウェア、ハードウェアにおいて、また、図示の実装構成において実現することが可能である。本発明の原理に従う側面を実現するために使用される、実際のソフトウェアコードまたは特化された制御ハードウェアは、本発明を限定するものではない。したがって、特定のソフトウェアコードに言及することなく、上記側面の処理及び振る舞いについて説明を行った。本明細書の記載に基づいて、上記側面の実現のために、ソフトウェアを設計し、ハードウェアを制御することが可能であることは、当業者であれば理解できるであろう。
【００６０】
本願で使用される要素、動作及び指示のいずれも、その旨が明示されていないかぎり、本発明にとって極めて重要である、または不可欠であると解釈されるべきでない。また、本明細書で使用されているように、不定冠詞「ａ」は、１つ以上の項目を含むことが意図されている。１つだけの品目であることを意図する場合には、「１つの（one）」または同様の表現が使用される。さらに、「〜に基づいて」という表現は、別途、明白に言及されていないかぎり、本明細書で使用されているように、「〜に少なくとも部分的に基づいて」ということを意味するように意図されている。
【図１】
2010509616.tif 000003
【図２Ａ】
2010509616.tif 000004
【図２Ｂ】
2010509616.tif 000005
【図３Ａ】
2010509616.tif 000006
【図３Ｂ】
2010509616.tif 000007
【図４Ａ】
2010509616.tif 000008
【図４Ｂ】
2010509616.tif 000009
【図５Ｂ】
2010509616.tif 000010
【図６Ｂ】
2010509616.tif 000011
【図７】
2010509616.tif 000012
【図５Ａ】
2010509616.tif 000013
【図６Ａ】
2010509616.tif 000014
【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
照明デバイス（２００）を備えるディスプレイ（１３０）であって、
前記照明デバイス（２００）からの光を受光するように構成されている透過部（２４０）と、
前記照明デバイス（２００）からの光を受光するように構成されている半透過部（２３０）と、
前記半透過部（２３０）に関連付けられているレンズアレイ（２２０）と
を備えていることを特徴とするディスプレイ。
【請求項２】
前記照明デバイス（２００）が通電されると、前記透過部（２４０）と前記半透過部（２３０）は照明される
ことを特徴とする請求項１に記載のディスプレイ。
【請求項３】
前記レンズアレイ（２２０）は、前記照明デバイス（２００）と前記半透過部（２３０）との間に設けられている
ことを特徴とする請求項１に記載のディスプレイ。
【請求項４】
前記照明デバイス（２００）の電源が遮断されると、周辺光が前記半透過部（２３０）を照明する
ことを特徴とする請求項１に記載のディスプレイ。
【請求項５】
前記半透過部（２３０）は、前記ディスプレイ（１３０）上に視覚情報を表示する
ことを特徴とする請求項１に記載のディスプレイ。
【請求項６】
前記半透過部（２３０）は、透過セクションと反射セクションを備えている
ことを特徴とする請求項１に記載のディスプレイ。
【請求項７】
前記レンズアレイ（２２０）は、ガラス、水晶、サファイアまたはポリマ材料のうちの少なくとも１つを備えている
ことを特徴とする請求項１に記載のディスプレイ。
【請求項８】
前記レンズアレイ（２２０）は、マイクロレンズアレイを備えている
ことを特徴とする請求項１に記載のディスプレイ。
【請求項９】
前記ディスプレイ（１３０）は、モノクロまたはカラーのディスプレイのうちの一方を備えている
ことを特徴とする請求項１に記載のディスプレイ。
【請求項１０】
前記ディスプレイ（１３０）は、液晶ディスプレイ（ＬＣＤ）を備えている
ことを特徴とする請求項１に記載のディスプレイ。
【請求項１１】
前記ディスプレイ（１３０）は、パッシブ・マトリックス構造またはアクティブ・マトリックス構造の内の１つを備えている
ことを特徴とする請求項１に記載のディスプレイ。
【請求項１２】
前記ディスプレイ（１３０）は、
無線電話、
パーソナル通信システム（ＰＣＳ）端末、
パーソナルデジタルアシスタント（ＰＤＡ）、
ラップトップ、
全地球測位システム、
パーソナルコンピュータ、
ＭＰ３プレーヤ、
プリンタ、
ファクシミリ装置、
ページャ、
計算機、
カメラ
の内の少なくとも１つ以上を備えるデバイスに設けられている
ことを特徴とする請求項１に記載のディスプレイ。
【請求項１３】
前記照明デバイス（２００）が、通電されて、かつ前記ディスプレイ（１３０）を照明すると、前記透過部（２４０）と前記半透過部（２３０）とは、実質的に同一の照明、コントラスト及び色を提供する
ことを特徴とする請求項１に記載のディスプレイ。
【請求項１４】
デバイスディスプレイ（１３０）用の透過部（２４０）を提供し、
デバイスディスプレイ（１３０）用の半透過部（２３０）を提供し、
レンズアレイ（２２０）を前記デバイスディスプレイ（１３０）の半透過部（２３０）と関連づける
ことを特徴とする方法。
【請求項１５】
前記デバイスディスプレイ（１３０）の前記透過部（２４０）及び前記半透過部（２３０）を照明できるようになっている照明デバイス（２００）を提供する
ことを特徴とする請求項１４に記載の方法。
【手続補正書】
【提出日】平成21年7月1日(2009.7.1)
【手続補正１】
【補正対象書類名】特許請求の範囲
【補正対象項目名】全文
【補正方法】変更
【補正の内容】
【特許請求の範囲】
【請求項１】
ディスプレイであって、
照明デバイスと、
前記照明デバイスからの光を受光するように構成されている透過部と、
前記照明デバイスからの光を受光するように構成されている透過部照明デバイスからの半透過部と、
前記半透過部に関連付けられているレンズアレイと
を備えていることを特徴とするディスプレイ。
【請求項２】
前記照明デバイスが通電されると、前記透過部と前記半透過部は照明される
ことを特徴とする請求項１に記載のディスプレイ。
【請求項３】
前記レンズアレイは、前記照明デバイスと前記半透過部との間に設けられている
ことを特徴とする請求項１に記載のディスプレイ。
【請求項４】
前記照明デバイスの電源が遮断されると、周辺光が前記半透過部を照明する
ことを特徴とする請求項１に記載のディスプレイ。
【請求項５】
前記半透過部は、前記ディスプレイ上に視覚情報を表示する
ことを特徴とする請求項１に記載のディスプレイ。
【請求項６】
前記半透過部は、透過セクションと反射セクションを備えている
ことを特徴とする請求項１に記載のディスプレイ。
【請求項７】
前記レンズアレイは、マイクロレンズアレイを備えている
ことを特徴とする請求項１に記載のディスプレイ。
【請求項８】
前記ディスプレイは、
モノクロディスプレイと、
カラーディスプレイと、
液晶ディスプレイ（ＬＣＤ）と、
パッシブ・マトリックス構造と、
アクティブ・マトリックス構造と
の内の少なくとも１つを備えている
ことを特徴とする請求項１に記載のディスプレイ。
【請求項９】
前記レンズアレイは、複数の小型レンズを備え、前記複数の小型レンズのそれぞれは、前記半透過部の画素のサブ画素に関連づけられている
ことを特徴とする請求項１に記載のディスプレイ。
【請求項１０】
前記照明デバイスが、通電されて、かつ前記ディスプレイを照明すると、前記透過部と前記半透過部とは、実質的に同一の照明、コントラスト及び色を提供する
ことを特徴とする請求項１に記載のディスプレイ。
【国際調査報告】
2010509616.tif 000015
2010509616.tif 000016
2010509616.tif 000017